(57)【特許請求の範囲】
【請求項１】
相対する高さの低い土手部と相対する高さの高い土手部を有する底部と、高さの低い土手部にヒンジ連結された側壁と、高さの高い土手部にヒンジ連結された側壁とを有する折り畳みコンテナーにおいて、前記高さの高い土手部の両端部には、前記高さの低い土手部方向に延在する角部補強ブロックが形成されているとともに、前記角部補強ブロックの側面と前記高さの低い土手部の上面とにより形成される隅部には、前記高さの低い土手部側から見た正面形状が、略三角形状の補強連結部材が形成されており、更に、前記底部の裏面に形成されている嵌合部を構成する副嵌合部間に形成された凹溝が位置する前記高さの低い土手部の上面には、前記高さの低い土手部側から見た正面形状が、略方形状の補強ブロックが形成されており、且つ、前記略方形状の補強ブロックの両側面と前記高さの低い土手部の上面とにより形成される隅部には、前記高さの低い土手部側から見た正面形状が、略三角形状の板状補強連結部材が形成されていることを特徴とする折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来，図４〜図８に示されているような、平面形状が略長方形の底部１が、その相対する長辺側に形成された高さの低い土手部１ａと、相対する短辺側に形成された高さの高い土手部１ｂとを有するとともに、高さの低い土手部１ａに、長側壁２がヒンジ連結され、また、高さの高い土手部１ｂに、短側壁３がヒンジ連結された折り畳みコンテナーが知られている。
【０００３】
底部１の高さの高い土手部１ｂの両端部からは、高さの低い土手部１ａ方向に延在する角部補強ブロック１ｃが形成されている。角部補強ブロック１ｃの角部は、傾斜部１ｃ１に形成されており、また、角部補強ブロック１ｃの高さの低い土手部１ａ側に位置する側面１ｃ２は、略垂直面に形成されており、角部補強ブロック１ｃの側面１ｃ２と高さの低い土手部１ａの上面１ａ１とは、略直角を形成している。
【０００４】
また、底部１の裏面には、箱型に組み立てられた折り畳みコンテナーを段積みした際に、下に位置する折り畳みコンテナーの開口部に嵌合可能な嵌合部１ｄが突設されており、高さの高い土手部１ｂ間の中央に形成された、高さの高い土手部１ｂに平行な凹溝１ｅを挟んで、２個の副嵌合部１ｄ１に分割されている。図７に示されている折り畳みコンテナーの半分の大きさを有する小型の折り畳みコンテナーを、箱型に組み立てた状態で、２個並設し、その上に、図７に示されているような折り畳みコンテナーを段積みした際に、下に位置するとともに、並設された２個の小型の折り畳みコンテナーの隣接するフランジが、上に位置する折り畳みコンテナーの副嵌合部１ｄ１間に形成された凹溝１ｅに嵌合するように構成されている。
【０００５】
更に、必要に応じて、底部１に突設された２個の副嵌合部１ｄ１間に形成された凹溝１ｅが位置する高さの低い土手部１ａの上面１ａ１には、少なくとも、凹溝１ｅの幅ｗ１以上の幅（高さの低い土手部１ａの長手方向に沿った長さ）を有する、正面形状（高さの低い土手部１ａ側から見た形状）が略方形状の補強ブロック１ｆが突設されており、この補強ブロック１ｆの上面は、底部１の高さの高い土手部１ｂの上面と同じ高さに形成されている。このような補強ブロック１ｆを突設することにより、凹溝１ｅを形成したために低下する底部１の強度や剛性を補償するように構成されている。
【０００６】
上述したように、底部１の高さの高い土手部１ｂの両端部からは、高さの低い土手部１ａ方向に延在する角部補強ブロック１ｃが形成されているので、長側壁２の下部角部には、折り畳みコンテナーを箱型に組みたてた際に、角部補強ブロック１ｃが入り込む切り欠き凹部２ａが形成されているとともに、底部１の高さの低い土手部１ａの上面１ａ１には、補強ブロック１ｆが突設されているので、長側壁２の下面中央部には、折り畳みコンテナーを箱型に組みたてた際に、補強ブロック１ｆが入り込む切り欠き凹部２ｂが形成されている。
【０００７】
図４に示されているように、箱型に組み立てられた折り畳みコンテナーを折り畳むには、先ず最初に、底部１の高さの低い土手部１ｂにヒンジ連結された短側壁３を、底部１方向に倒して、図５に示されているように、底部１の上に重ね、次いで、底部１の高さの高い土手部１ａにヒンジ連結された長側壁２を、底部１方向に倒して、底部１に重ねられた短側壁３の上に重ねることにより、図６に示されているように、高さの低いコンパクトな状態に折り畳むことができるように構成されている。また、折り畳まれた状態から、後から倒された長側壁２を、略垂直に立て、次いで、先に倒された短側壁３を略垂直に立てることにより、箱型に組み立てることができるように構成されている。
【０００８】
箱型に組み立てた状態の折り畳みコンテナー同士を段積みした際には、上に位置する折り畳みコンテナーの底部１の裏面に形成された嵌合部１ｄが、下に位置する折り畳みコンテナーの開口部に嵌合されるとともに、嵌合部１ｄの周囲に位置する底部１の裏面周辺部１’が、上に位置する折り畳みコンテナーの長側壁２のフランジ２’及び短側壁３のフランジ３’に載置されるように構成されている。
【０００９】
また、折り畳まれた状態の折り畳みコンテナー同士を段積みした際には、上に位置する折り畳みコンテナーの底部１の裏面に形成された嵌合部１ｄが、下に位置する折り畳みコンテナーの底部１に形成された高さの低い土手部１ａ、高さの高い土手部１ｂ、角部補強ブロック１ｃ及び補強ブロック１ｆの内側に位置するとともに、下に位置する折り畳みコンテナーの嵌合部１ｄの周囲に位置する底部１の裏面周辺部１’が、上に位置する折り畳みコンテナーの高さの高い土手部１ｂ、角部補強ブロック１ｃ及び補強ブロック１ｆの上面に載置されるように構成されている。
【００１０】
【発明が解決しようとする課題】
箱型に組み立てられ、物品が収容された折り畳みコンテナーを段積みした際には、下に位置する折り畳みコンテナーの底部１に形成された角部補強ブロック１ｃの側面１ｃ２と高さの低い土手部１ａの上面１ａ１とにより形成される隅部Ｎ１に応力が集中することになるが、従来の折り畳みコンテナーにおいては、角部補強ブロック１ｃの側面１ｃ２と高さの低い土手部１ａの上面１ａ１とが、略直角を形成しており、上記の隅部Ｎ１に補強がなされていないために、角部補強ブロック１ｃとしての機能が充分ではなく、従って、高さの高い土手部１ａが、外側に湾曲し変形したり、更には、下に位置する折り畳みコンテナーの底部１が座屈を起こし損傷する場合がある。
【００１１】
本発明の目的は、上述した従来の折り畳みコンテナーが有する課題を解決することにある。
【００１２】
【課題を解決するための手段】
本発明は、上述した目的を達成するために、相対する高さの低い土手部と相対する高さの高い土手部を有する底部と、高さの低い土手部にヒンジ連結された側壁と、高さの高い土手部にヒンジ連結された側壁とを有する折り畳みコンテナーにおいて、前記高さの高い土手部の両端部には、前記高さの低い土手部方向に延在する角部補強ブロックが形成されているとともに、前記角部補強ブロックの側面と前記高さの低い土手部の上面とにより形成される隅部には、前記高さの低い土手部側から見た正面形状が、略三角形状の補強連結部材が形成されており、更に、前記底部の裏面に形成されている嵌合部を構成する副嵌合部間に形成された凹溝が位置する前記高さの低い土手部の上面には、前記高さの低い土手部側から見た正面形状が、略方形状の補強ブロックが形成されており、且つ、前記略方形状の補強ブロックの両側面と前記高さの低い土手部の上面とにより形成される隅部には、前記高さの低い土手部側から見た正面形状が、略三角形状の板状補強連結部材を形成したものである。
【００１３】
【実施例】
以下に、本発明の実施例について説明するが、本発明の趣旨を越えない限り何ら、本実施例に限定されるものでない。なお、上述した従来の折り畳みコンテナーと同じ構成部材については、同じ符号が使用されており、また、その詳細な説明は省略する。
【００１４】
本発明においては、底部１に形成された角部補強ブロック１ｃの側面１ｃ２と、高さの低い土手部１ａの上面１ａ１とにより形成される隅部Ｎ１に、角部補強ブロック１ｃと高さの低い土手部１ａとを連結する、正面形状（高さの低い土手部１ａ側から見た形状）が略三角形状の補強連結部材１０が形成されている。なお、従来の折り畳みコンテナーの長側壁２の下部角部に形成された、角部補強ブロック１ｃが入り込む切り欠き凹部２ａは、本発明においては、長側壁２を略垂直に立てた際に、補強連結部材１０も同様に入り込むような形状に形成されている。
【００１５】
上述したように、底部１に形成された角部補強ブロック１ｃの側面１ｃ２と、高さの低い土手部１ａの上面１ａ１とにより形成される隅部Ｎ１に、角部補強ブロック１ｃと高さの低い土手部１ａとを連結する補強連結部材１０を形成したことにより、高さの低い土手部１ａに比べて高さが高いために、強度や剛性の低い高さの高い土手部１ｂの強度や剛性が向上するとともに、従来の折り畳みコンテナーのように、底部１に形成された角部補強ブロック１ｃの側面１ｃ２と、高さの低い土手部１ａの上面１ａ１とにより形成される隅部Ｎ１への応力の集中が緩和されることになり、従って、箱型に組み立てられ、物品が収容された折り畳みコンテナーを段積みした際に、下に位置する折り畳みコンテナーの底部１の高さの高い土手部１ａが、外側に湾曲し変形したり、座屈を起こし損傷するようなことを防止することができる。
【００１６】
上述したように、底部１に形成された角部補強ブロック１ｃの側面１ｃ２と、高さの低い土手部１ａの上面１ａ１とにより形成される隅部Ｎ１に、角部補強ブロック１ｃと高さの低い土手部１ａとを連結する補強連結部材１０を形成したことにより、底部１の強度や剛性を高めることができ、ひいては、折り畳みコンテナーの強度や剛性を向上することになる。
【００１７】
従来の折り畳みコンテナーと同様に、本発明においても、底部１に突設された嵌合部１ｄが、凹溝１ｅを挟んで２個の副嵌合部１ｄ１により構成されている場合には、凹溝１ｅが位置する高さの低い土手部１ａの上面１ａ１には、正面形状が略方形状の補強ブロック１ｆが突設されており、且つ、補強ブロック１ｆの両側面（高さの低い土手部１ｂ側の側面）１ｆ１と、高さの低い土手部１ａの上面１ａ１とにより形成される隅部Ｎ２には、補強ブロック１ｆと高さの低い土手部１ａとを連結する、正面形状（高さの低い土手部１ａ側から見た形状）が略三角形状の補強連結部材２０が形成されている。この補強連結部材２０は、補強ブロック１ｆより薄い板状に形成されており、更に、補強連結部材２０の外側面２０ａと補強ブロック１ｆの外側面１ｆ１とは、略面一に形成されている。
【００１８】
折り畳みコンテナーが箱型に組み立てられた際に、上述した補強ブロック１ｆと高さの低い土手部１ａとを連結する補強連結部材２０が、長側壁２の略垂直な立設を邪魔しないように、長側壁２には、補強連結部材２０が入り込むことが可能な凹部を形成することが好ましい。
【００１９】
上述したように、補強ブロック１ｆの両側面１ｆ１と、底部１の高さの低い土手部１ａの上面１ａ１とにより形成される隅部Ｎ２に、補強ブロック１ｆと高さの低い土手部１ａとを連結する補強連結部材２０を形成したので、底部１の高さの低い土手部１ａの強度や剛性が高められ、ひいては、折り畳みコンテナーの強度や剛性を向上することになる。
【００２０】
【発明の効果】
本発明は、以上説明した構成を有しているので、以下に記載する効果を奏するものである。
【００２１】
底部に形成された角部補強ブロックの側面と底部の高さの低い土手部の上面とにより形成される隅部に、補強連結部材を形成したので、底部の強度や剛性を高めることができ、ひいては、折り畳みコンテナーの強度や剛性を向上することができる。
【００２２】
底部の高さの低い土手部の上面に形成された補強ブロックの両側面と高さの低い土手部の上面とにより形成される隅部に、補強連結部材を形成したので、底部の高さの低い土手部の強度や剛性が高められ、ひいては、折り畳みコンテナーの強度や剛性を向上することができる。
【図面の簡単な説明】
【図１】図１は本発明の折り畳みコンテナーの組み立てられた状態の斜視図である。
【図２】図２は本発明の折り畳みコンテナーの底部の部分拡大斜視図である。
【図３】図３は同じく本発明の折り畳みコンテナーの底部の部分拡大斜視図である。
【図４】図４は従来の折り畳みコンテナーの組み立てられた状態の斜視図である。
【図５】図５は従来の折り畳みコンテナーの組み立て途中の斜視図である。
【図６】図６は従来の折り畳みコンテナーの折り畳まれた状態の斜視図である。
【図７】図７は従来の折り畳みコンテナーの裏面斜視図である。
【図８】図８は従来の折り畳みコンテナーの底部の部分拡大斜視図である。
【符号の説明】
１・・・・・・・・・・・・底部
１ｃ・・・・・・・・・・・角部補強ブロック
１ｆ・・・・・・・・・・・補強ブロック
２・・・・・・・・・・・・長側壁
３・・・・・・・・・・・・短側壁
１０・・・・・・・・・・・補強連結部材
２０・・・・・・・・・・・補強連結部材
【図１】
0003875117.tif 000002
【図２】
0003875117.tif 000003
【図３】
0003875117.tif 000004
【図４】
0003875117.tif 000005
【図５】
0003875117.tif 000006
【図６】
0003875117.tif 000007
【図７】
0003875117.tif 000008
【図８】
0003875117.tif 000009